(57)【要約】【課題】チューブポンプに対する水ノズルの取り付けおよび取り外しを容易におこなえるうえ、長期にわたって衛生的に使用することができる液体定量供給ポンプ用の水ノズル取り付け構造を提供する。【解決手段】水ノズル３０を構成する柱状部３２は、大径の筒部３３と、この筒部３３よりも小径の連結部３４とを有し、この連結部３４は、希釈水を供給するジョイント６０と連結され、筒部３３の周縁部には、すくなくとも２箇所の係合突部３５が形成され、チューブポンプ１０を構成するモータケース１４ａの前面部には、水ノズル３０の筒部３３を挿入可能な取り付け孔４０が形成され、この取り付け孔４０の周縁部には、係合突部３５の嵌入を許容する一対の切り欠き部４１が形成されている。【選択図】      図１
2004238007.tif 000002
【特許請求の範囲】
【請求項１】
飲料用ディスペンサなどに備えた液体定量供給ポンプ用の水ノズル取り付け構造であって、
前記水ノズルは、柱状部と屈曲部とにより構成され、前記柱状部は、筒部と、当該筒部よりも小径の連結部とを有し、
前記連結部は、希釈水を供給するジョイントと連結され、
前記筒部の周縁部には、すくなくとも２箇所の係合突部が形成され、
前記液体定量供給ポンプを構成するポンプケースには、前記水ノズルの筒部を挿入可能な取り付け孔が形成されるとともに、当該取り付け孔の周縁部には、前記係合突部の嵌入を許容する切り欠き部が形成されていることを特徴とする液体定量供給ポンプ用の水ノズル取り付け構造。
【請求項２】
前記水ノズルの柱状部には、前記取り付け孔の径寸法よりも大径に形成された鍔部が設けられていることを特徴とする請求項１に記載の液体定量供給ポンプ用の水ノズル取り付け構造。
【請求項３】
前記柱状部の筒部周縁部には、溝部が形成されるとともに、当該溝部には、シール部材が設けられることを特徴とする請求項１または２に記載の液体定量供給ポンプ用の水ノズル取り付け構造。
【発明の詳細な説明】
【０００１】
【発明の属する技術分野】
本発明は、飲料用ディスペンサ、カップ式自動販売機などに備えられる液体定量供給ポンプ用の水ノズルに関するもので、特に、液体定量供給ポンプのポンプケースから水ノズルを容易に着脱することができる液体定量供給ポンプ用の水ノズル取り付け構造に関するものである。
【０００２】
【従来の技術】
従来から、レストランやハンバーガーショップなどでは、濃縮飲料入りの袋を備えた箱収納バック（ＢｉＢ）とチューブポンプ（液体定量供給ポンプ）とを組み合わせた飲料用のディスペンサが広く普及している。この飲料ディスペンサに備えられるチューブポンプとしては、濃縮飲料入りのＢｉＢを飲料ディスペンサの冷蔵庫内で保冷するとともに、このＢｉＢからチューブポンプを通じて注入した濃縮飲料と冷水供給源（水リザーバ）から供給した希釈用の冷却水とを混ぜ合わせてカップに注出するものが知られている（例えば、特許文献１参照）。
【０００３】
以下、図５（ａ）、（ｂ）および図６を参照して従来のチューブポンプ（液体定量供給ポンプ）の概略について簡単に説明する。図５（ａ）は、従来のチューブポンプを示す概略縦断面図、図５（ｂ）は平面図、図６は、水ノズルの取り付け構造の詳細を示している。すなわち、図５（ａ）、（ｂ）に示すように、チューブポンプ１０は、濃縮飲料水を吐出する吐出チューブ１１、チューブポンプ１０を作動させるためのポンプモータ１２、水リザーバから供給された希釈水を噴出する水ノズル１３とを備えている。
【０００４】
また、水ノズル１３は希釈水を供給するジョイント１５に対して連結部１６が連結されるとともに、このジョイント１５はアンカー１７を介してモータケース１４に固定されている。このように構成されるチューブポンプ１０は、ポンプモータ１２の作動により吐出チューブ１１を通じてＢｉＢから送出された濃縮飲料がカップ（図示せず）に供給されると同時に、ジョイント１５を通じて供給された希釈水が水ノズル１３からカップ内に噴出される。これにより、カップ内の濃縮飲料が希釈水により希釈されるため所定濃度の飲料水とすることができる。
【０００５】
【特許文献１】
特開２００２−１３０１５３号公報
【０００６】
【発明が解決しようとする課題】
しかしながら、上述した従来の液体定量供給ポンプにあっては、以下に示す種々の問題がある。すなわち、衛生上の観点からチューブポンプ１０に使用されている水ノズル１３は、この水ノズル１３の内部に付着した汚れやカビなどを除去するために、定期的に洗浄する必要がある。ところが、前述した図５（ａ）に示すように、水ノズル１３の連結部１６はジョイント１５と連結されるとともに、このジョイント１５はアンカー１７を介して取り付けねじ１８によりモータケース１４に固定されている。このため、チューブポンプ１０から水ノズル１３を取り外す際には、チューブポンプ１０を分解して、アンカー１７を固定している取り付けねじ１８を取り外すという煩雑な作業が必要になるという問題がある。
【０００７】
また、図６に示すように、水ノズル１３とジョイント１５との連結部１６には、シール部材としてのＯリング２０が設けられているが、このＯリング２０は、ジョイント１５側の溝部１９に嵌入されているため、Ｏリング２０の磨耗時などに、このＯリング２０を交換する場合には、やはりチューブポンプ１０を分解する必要があるという問題がある。
【０００８】
本発明は上記実情に鑑みてなされたものであり、チューブポンプに対する水ノズルの着脱作業を手動により容易におこなえるうえ、長期にわたって液体定量供給ポンプを衛生的に使用することができる液体定量供給ポンプ用の水ノズル取り付け構造を提供することを目的とする。
【０００９】
【課題を解決するための手段】
上記目的を達成するため、請求項１に係る発明は、液体定量供給ポンプ用の水ノズル取り付け構造は、飲料用ディスペンサなどに備えた液体定量供給ポンプ用の水ノズル取り付け構造であって、前記水ノズルは、柱状部と屈曲部とにより構成され、前記柱状部は、筒部と、当該筒部よりも小径の連結部とを有し、前記連結部は、希釈水を供給するジョイントと連結され、前記筒部の周縁部には、すくなくとも２箇所の係合突部が形成され、前記液体定量供給ポンプを構成するポンプケースには、前記水ノズルの筒部を挿入可能な取り付け孔が形成されるとともに、当該取り付け孔の周縁部には、前記係合突部の嵌入を許容する切り欠き部が形成されていることを特徴とする。
【００１０】
また、請求項２に係る発明は、前記水ノズルの柱状部には、前記取り付け孔の径寸法よりも大径に形成された鍔部が設けられていることを特徴とする。
【００１１】
また、請求項３に係る発明は、前記柱状部の筒部周縁部には、溝部が形成されるとともに、当該溝部には、シール部材が設けられることを特徴とする。
【００１２】
【発明の実施の形態】
以下に添付図面を参照して、この発明に係る液体定量供給ポンプ用の水ノズル取り付け構造の好適な実施の形態を詳細に説明する。
【００１３】
図１は、本発明の液体定量供給ポンプ用の水ノズル取り付け構造を説明する斜視図である。また、図２（ａ）は水ノズルの形状である側面図、（ｂ）は、断面図、（ｃ）は、上視図をそれぞれ示している。また、図３（ａ）、（ｂ）は、モータケース１４ａに対する水ノズル３０の着脱時の縦断面図を示す図である。
【００１４】
図１に示すように、本発明では、水ノズル３０に係合突部３５を形成することにより、この係合突部３５を利用してチューブポンプ１０（液体定量供給ポンプ）を構成するモータケース１４ａに対する水ノズル３０の取り付けおよび取り外しを容易にしたことに特徴がある。
【００１５】
すなわち、図２（ａ）〜（ｃ）に示すように、水ノズル３０は、先端側に屈曲部３１を下半部に柱状部３２とを備えたＬ字型に構成されており、水ノズル３０の先端側は、希釈水を注出するための注出部として、下半部の基端側は、ジョイント６０と連結するための取り付け部として機能する。
【００１６】
また、柱状部３２は、大径（外径寸法Ｗ１）の筒部３３と、この筒部３３よりも小径の連結部３４とを有している。連結部３４は、前述したように希釈水を供給するジョイント６０と連結されるものとなる。３８は、冷水供給源（水リザーバ）から供給された希釈水を通過させるための流通孔である。
【００１７】
また、水ノズル３０を構成する筒部３３の周縁部には、２箇所の係合突部３５が形成されている。後述するように、この係合突部３５はモータケース１４ａに対する固定部として機能する。さらに、筒部３３の先端側には、この筒部よりも大径な鍔部５０が設けられている。この鍔部４０により、カップや吐出チューブ１１（図５）から飛び散ったシロップや水などがチューブポンプ１０の内部に浸入するのを防止することができる。
【００１８】
図３（ａ）は、水ノズルの取り付け時を、図３（ｂ）は、水ノズルの取り外し時をそれぞれ説明する縦断面図である。すなわち、図３（ａ）、（ｂ）に詳示するように、ジョイント６０の先端部（図の左側）には、凹部型に形成された凹状連結部６１が設けられており、この凹状連結部６１の内側に水ノズル３０の連結部３４を接続することができる。また、前述したように、ジョイント６０を通じて冷水供給源（水リザーバ）から希釈水を水ノズル３０に供給することができる。
【００１９】
また、水ノズル３０の連結部３４には溝部３７が形成され、この溝部３７には、シール材としてのＯリング５０が嵌め込まれている。このＯリング２０により、ジョイント６０を通じて給送された希釈水がチューブポンプ１０内部に漏出することを防止することができる。また、このＯリング２０が磨耗や断裂などにより交換が必要となった場合にも、このＯリング２０は、水ノズル３０側にあるため、単体での交換が容易となる。
【００２０】
一方、チューブポンプ１０を構成するモータケース１４ａには、水ノズル３０の筒部３３を挿入可能な取り付け孔４０が形成されている。このため、取り付け孔４０の内径寸法Ｗ２は、筒部３３の外径寸法Ｗ１とほぼ同寸法となるように選定されている（Ｗ１≒Ｗ２）。また、この取り付け孔４０の周縁部には、水ノズル３０に形成された係合突部３５の嵌入を許容する一対（２箇所）の切り欠き部４１、４１が形成されている。
【００２１】
以下、図４（ａ）〜（ｃ）を参照して、モータケース１４ａに対する水ノズル３０の取り付け方法および取り外し方法を説明する。ここで、図４（ａ）は、モータケース１４ａに対する水ノズル３０の取り付け前、図４（ｂ）は、取り付け途中、図４（ｃ）は、取り付け完了後をそれぞれ示す斜視図である。
【００２２】
すなわち、図４（ａ）に示すように、水ノズル３０をモータケース１４ａに取り付ける場合には、先ず、取り付け孔４０の切り欠き部４１に対して、水ノズル３０の係合突部３５とを合致させる。次いで、図４（ｂ）に示すように、位置を合わせた状態で、水ノズル３０を取り付け孔４０に挿入するとともに、この挿入が完了した時点で、水ノズル３０を反時計方向に４５度回しながら、さらに水ノズル３０の連結部３４をジョイント６０の凹状連結部６１に差し込む。
【００２３】
以上の作業により、図４（ｃ）に示すように、水ノズル３０をモータケース１４ａに固定することができる。同図に示すように、水ノズル３０の取り付け時には、係合突部３５が取り付け孔４０の周囲（内側）で固定されるため、モータケース１４ａに対する水ノズル３０の取り付けは確実なものとなる。また、水ノズル３０の取り付け時点で鍔部５０は、モータケース１４ａの前面に密着させることができるため、シロップや水がモータケース１４ａに形成した取り付け孔４０の隙間などからチューブポンプ１０の内部に侵入することを確実に防止することができる。
【００２４】
一方、水ノズル３０をモータケース１４ａから取り外す場合には、水ノズル３０の連結部３４をジョイント６０の凹状連結部６１から外すと共に、取り付け孔４０の切り欠き部４１に対して、水ノズル３０の係合突部３５とを合致させた状態で、前記図４（ｂ）とは反対に水ノズル３０を時計方向に回しながら取り付け孔４０から取り出す。
【００２５】
以上のように、本発明によれば、水ノズル３０の取り付けおよび取り外しをモータケース１４ａの前面から手動による作業で容易におこなうことができるため、水ノズルの内部に付着した汚れやカビなどの洗浄を容易且つ確実におこなうことができる。また、水ノズル３０の着脱作業を容易におこなうことができるため、長期にわたって衛生的な状態で水ノズルを使用できるうえ、ユーザの利便性を向上させることができる。
【００２６】
【発明の効果】
以上説明したように、請求項１に記載の本発明によれば、水ノズルの取り付けおよび取り外しを容易におこなうことができるうえ、水ノズルの内部に付着した汚れやカビなどの洗浄を容易且つ確実におこなうことができるため、長期にわたって衛生的な状態で水ノズルを使用することができるという効果がある。
【００２７】
また、請求項２に記載の本発明によれば、水ノズルの筒部に設けた鍔部により、シロップや水がモータケースに形成した取り付け孔の隙間などからチューブポンプ内部に侵入することを確実に防止できるという効果がある。
【００２８】
また、請求項３に記載の本発明によれば、水ノズルの筒部側にシール部材としてのＯリングが設けられているため、ジョイントを通じて給送された希釈水の漏出を確実に防止するとともに、このＯリングが磨耗や断裂などにより交換が必要となった場合に、Ｏリングを単体で交換が可能となることから、この交換作業を容易におこなうことができ、これにより、ユーザの利便性を向上させることができるという効果がある。
【図面の簡単な説明】
【図１】本発明の液体定量供給ポンプ用の水ノズル取り付け構造による水ノズルの着脱を説明する斜視図である。
【図２】（ａ）は、水ノズルの側面図、（ｂ）は、縦断面図、（ｃ）は、上視図をそれぞれ示す図である。
【図３】（ａ）は、水ノズルの取り付け時を、（ｂ）は、水ノズルの取り外し時をそれぞれ説明する縦断面図である。
【図４】（ａ）は、モータケースに対する水ノズルの取り付け前、（ｂ）は、取り付け途中、（ｃ）は、取り付け完了後をそれぞれ示す斜視図である。
【図５】（ａ）は、従来におけるチューブポンプを示す概略縦断面図、（ｂ）は平面図である。
【図６】従来の水ノズルの取り付け構造の詳細を示す縦断面図である。
【符号の説明】
１０  チューブポンプ
１１  吐出チューブ
１２  ポンプモータ
１４、１４ａ  モータケース
１５  ジョイント
１６  連結部
１７  アンカー
１８  取り付けビス
１９、３７  溝部
２０  Ｏリング
３０  水ノズル
３５  係合突部
３１  屈曲部
３２  柱状部
３３  筒部
３４  連結部
３８  流通孔
４０  取り付け孔
４１  切り欠き部
５０  鍔部
６０  ジョイント
６１  凹状連結部
【図１】
2004238007.tif 000003
【図２】
2004238007.tif 000004
【図３】
2004238007.tif 000005
【図４】
2004238007.tif 000006
【図５】
2004238007.tif 000007
【図６】
2004238007.tif 000008